(57)【特許請求の範囲】
【請求項１】
接続されるネックストラップの一端に、それぞれ取り付けられるプラグ体とソケット体とからなり、
前記プラグ体はソケット体と接続される先端面にＴ字型の係合突起が形成され、
一方、ソケット体は、内部に前記係合突起が嵌まる大きさの中空が形成され、
その中空に連通し、かつ、Ｔ字型の係合突起の垂直部分に嵌合する大きさの貫通孔がプラグ体と接続される先端面に設けられるとともに、
前記ソケット体の一方の側面に、垂直部を長く形成した前記プラグ体の係合突起が嵌入されるＴ字型の切欠が、Ｔ字型の水平部をソケット体の後方側にして貫通孔と中空とに連通するようにして設けられ、
対するソケット体の他方の側面に、先端から後方に向けて先端面の貫通孔と中空とに連通するスリットが設けられたストラップ止め。
【請求項２】
上記ソケット体の他方の側面に形成されたスリットが、ソケット体の後方に向けて水平部を形成したＴ字型である請求項１に記載のストラップ止め。
【発明の詳細な説明】
【０００１】
【発明の属する利用分野】
この発明は、ネックストラップの安全性を高めるためのストラップ止めに関するものである。
【０００２】
【従来の技術】
例えば、ＩＤカードや携帯電話などを首から下げる際にネックストラップが使われている。
【０００３】
このような首から下げるネックストラップは、両端をストラップエンドなどで止めて、その先にＩＤカードや携帯電話などを取り付ける。そして、首から下げたままＩＤカードを見せたり、携帯電話を使えるように十分な長さを持つようになっている。
【０００４】
ところが、このようにネックストラップが十分な長さを持つようにした場合、ネックストラップの先に付けたＩＤカードや携帯電話がぶらつくので、例えばエレーベータ、電車、車・・・などのドアに巻き込まれると、ストラップが外れず、首が絞まり危険な問題があった。
【０００５】
この問題を解決する一つの方法として、図１０に示すようなストラップ止めが考えられている。
【０００６】
このストラップ止め１は、プラグ体２とソケット体３とで構成され、ストラップＳを二つに分けて、その一端に、それぞれ取り付けるようになっている。
【０００７】
このプラグ体２は、ソケット体３と接続される先端面４に係合突起５を設け、この係合突起５が嵌入される嵌合穴７をソケット体３の先端面４に設けた構造となっており、図１１のように、プラグ体２の係合突起５を嵌合穴７に押し込むと、係合突起５の出っ張った係合部８が嵌合穴７の入口に設けたストッパー９に係止して止まるようになっている。
【０００８】
そのため、ストラップＳが引っ張られて、その力がストラップ止め１の係合を解除する大きさに達すると、嵌合孔７が係合部８によって押し広げられ（図１１では上下に）、外れるようになっている。
【０００９】
【発明が解決しようとする課題】
しかしながら、上記のストラップ止めでは、係合突起の出っ張った係合部を嵌合穴の入口の内側に突出させたストッパーに係合させる構造となっているため、図１１のように、突起５の先端を丸く、また、ストッパー９を内側に傾斜させて押し込み易い構造であっても、前記突起５を無理やりソケット体３の嵌合穴７に押し込めて穴を広げなければならず、非常に嵌めにくいという問題がある。
【００１０】
また、接続されたソケット体３とプラグ体２には、首にかけると例えば、図１１の矢印のような向きの力が加わるため、ソケット体３とプラグ体２には図のＯ点を支点にした回転力が働くことになる。この回転力による力は図のＰ点に作用して嵌合穴７を上下に押し広げるため、両者（係合部８とストッパー９）の係合が簡単に外れてしまう。そのため、例えば、携帯電話など比較的重いもの（ＩＤカードに比べると）を吊り下げた場合には、首に勢い良くかけただけでも、そのショックでもって外れてしまうこともあった。
【００１１】
このとき、外れ難くするため、部材に堅いものを使用するという方法も考えられるが、そのような方法を採用すると、今度は嵌合穴７が広がり難くなるため、更に嵌めにくくなるという問題が生じる。
【００１２】
そこで、この発明の課題は、ストラップ止めを、嵌めやすくすると同時に、必要な際にのみ外れるようにすることである。
【００１３】
【課題を解決するための手段】
上記の課題を解決するため、この発明では、接続されるネックストラップの一端に、それぞれ取り付けられるプラグ体とソケット体とからなり、前記プラグ体はソケット体と接続される先端面にＴ字型の係合突起が形成され、一方、ソケット体は、内部に前記係合突起が嵌まる大きさの中空が形成され、その中空に連通し、かつ、Ｔ字型の係合突起の垂直部分に嵌合する大きさの貫通孔がプラグ体と接続される先端面に設けられるとともに、前記ソケット体の一方の側面に、垂直部を長く形成した前記プラグ体の係合突起が嵌入されるＴ字型の切欠が、Ｔ字型の水平部をソケット体の後方側にして貫通孔と中空とに連通するようにして設けられ、対するソケット体の他方の側面に先端から後方に向けて先端面の貫通孔と中空とに連通するスリットが設けられた構成を採用したのである。
【００１４】
このような構成を採用したことにより、プラグ体の係合突起をソケット体の一方の側面に設けられた切欠に嵌入し（係合突起のＴ字型の先端をソケット体の切欠のＴ字型の先端から嵌入する）、プラグ体を切欠に沿って動かし、ソケット体の先端面同志を対向させると（切欠のＴ字型は係合突起よりも垂直部分を長く形成してあるため）、長く形成した切欠の垂直部分にプラグ体の係合突起のＴ字型の先端が嵌まって外れなくなる。
【００１５】
このように両者の接続は、プラグ体の係合突起をソケット体の切欠に嵌めて切欠に沿って動かすだけで簡単にできる。
【００１６】
また、接続されたプラグ体とソケット体は、嵌合側に対する回転力に対しては簡単に外れるが（取り付け時と反対に動くため簡単に外すことができる）、逆向きの回転力に対しては、Ｔ字型の係合突起の水平部がソケット体の切欠に形成した係止部によって回転が阻止されるため外れない。
【００１７】
一方、強い力によってプラグ体とソケット体が引っ張られると、プラグ体の係合突起に押されてソケット体の他方の面に形成されたスリットが開き、前記スリットに連通した貫通孔が押し広げられて係合突起が外れる。
【００１８】
このとき、上記ソケット体の他方の側面に形成されたスリットが、ソケット体の後方に向けて水平部を形成したＴ字型である構成を採用することができる。
【００１９】
このように構成することにより、スリットの水平部によって、その部分の他方の側面の幅を変えれば、その部分を支点にして貫通孔を押し広げる引っ張り力を調整できる。
【００２０】
【発明の実施の形態】
以下、この発明の実施の形態を図面に基づいて説明する。
図１に示すように、この形態のストラップ止め１０は、接続されるネックストラップＳの一端に取り付けられるプラグ体１１とソケット体１２とからなっている。
【００２１】
プラグ体１１とソケット体１２は、図１に示すような、横に長い偏平形状をした樹脂製のもので、後方にストラップＳを通すための紐通し１３が設けられている。
【００２２】
また、ソケット体１２と接続されるプラグ体１１の先端面１４には、Ｔ字型の係合突起１５が設けられており、前記Ｔ字型の係合突起１５は、先端の水平部１６をプラグ体１１の横方向と平行になるように先端面１４の中央に形成されている。
【００２３】
このＴ字型の係合突起１５は、先端の水平部１６の出っ張りを小さく、逆に垂直部１７を太くすることにより、折れにくくすると同時に、後述するように、ソケット体１２との係合力の調整もできるようにしてある。
【００２４】
ここでは、また、係合突起１５の側面の水平部１６の出っ張り部分と、垂直部１７との間に傾斜面を形成することにより、後述するように、ソケット体１２とスムースに外れるようにしてある。
【００２５】
一方、ソケット体１２は、内部が中空２２になっており、この中空２２は、前記係合突起（Ｔ字型の水平部の幅）１５の嵌まる大きさに形成されている。
【００２６】
また、この中空２２には、プラグ体１１と接続される先端面１８に設けられた貫通孔１９が連通しており、前記貫通孔１９は、図２のように、プラグ体１１の係合突起の垂直部１７が嵌まる同じ断面形状となっている。この貫通孔１９の左右は、中空側に向けて傾斜させてあり、後述するようにプラグ体１１とスムースに外れるようにしてある。
【００２７】
また、ソケット体１２の一方の側面（図１では上面）には、Ｔ字型の切欠２０が設けられている。前記切欠２０は、Ｔ字型の係合突起１５の垂直部１７を長くした形状のもので、ソケット体１２の後方側に向かって形成し、中空２２と貫通孔１９とに連通させてある。このような切欠２０を設けることにより、係合突起１５を支持する係止部２３を形成している。
【００２８】
また、ここでは、切欠２０のＴ字型の水平部を大きくして係合突起１５を嵌めやすくしてある。このようにする方が、使い易くなるため好ましい。
【００２９】
他方、ソケット体１２の他方の側面（図１では下面）には、図３に示すようなスリット２１が設けられている。前記スリット２１は、スリット２１の先端が左右に広がったＴ字型になっており、Ｔ字型の水平部を後方側にして貫通孔１９と中空２２とに連通するように設けられている。このＴ字型スリット２１の高さ（長さ）は、この形態では、ほぼ、Ｔ字型の切欠２０と同じに形成してある。またスリット２１の幅は、プラグ本体１１の係合突起１５が通らない幅であれば良いので調整可能（係合力がかえられる）である。
【００３０】
この形態は上記のように構成されており、このストラップ止め１０は、図４に示すように、例えば一方をストラップエンドＥで携帯電話に接続したネックストラップＳの他方の二つに分けられた端部に、紐通し１３に通して取り付けられる。
【００３１】
このストラップ止め１０のプラグ体１１とソケット体１２の接続は、図５に示すように、プラグ体１１の係合突起１５をソケット体１２の一方の側面に設けられた切欠２０に嵌入する。このとき、前記切欠２０は、Ｔ字型の垂直部を長くしているので、プラグ体１１は図５のように、垂直にして係合突起１５を嵌入することになる。次に、プラグ体１１を図５の一点鎖線の矢印のように回転させると、係合突起１５は中空２２内を図のように徐々に移動し、プラグ体１１とソケット体１２の先端面同志が当接して接続することができる。このとき、切欠２０の垂直部は、係合突起１５の垂直部１７よりも長く形成されているので、図６に示すように、引き上げられたプラグ体１１の係合突起１５が、図７に示すように、この長く形成された係止部２３に嵌まって止められる。
【００３２】
このように、このストラップ止め１０は、係合突起１５を切欠２０に嵌めれば簡単にストラップＳの接続ができるので、プラグ体１１をソケット体１２に無理やり押し込む必要がない。
【００３３】
接続されたストラップ止め１０は、図８に示すように、他方の側面を内側（首側）にして首にかけると、携帯電話などの比較的重いものを吊り下げた場合でも外れないようになっている（そのため、この向きにかけるように、ストラップＳの片面に文字や絵などを印刷するようにしても良い）。
【００３４】
すなわち、図５に示すように、実線の矢印のような回転力が働らいて、Ｏ点を支点としたモーメントが作用しても図５及び図７に示すように、係合突起１５のＴ字型の出っ張り部分が、側面に形成した係止部２３にホールドされ、回転を阻止するようになっているため外れない。
【００３５】
また、取り外す場合は、逆方向に回転させると、係合突起１５は切欠２０を通って外れるので、簡単に取り外すことができる。これは、ストラップＳを首から外すときに便利である。
【００３６】
一方、吊り下げた携帯電話が、例えばエレーベーターのドアなどに挟まれて、図９の左右の矢印で示すような強い力でストラップ止め１０が引っ張られると、引っ張られたストラップ止め１０のプラグ体１１の係合突起１５が移動して、貫通孔１９を押し広げるが、このとき、他方の面に設けたスリット２１によって貫通孔１９が矢印のように開いて大きくなり、係合突起１５が外れる。その際、係合突起１５と貫通孔１９に形成した傾斜面同志が接触して滑りやすくしてあるので、スムースに外れる。また、このとき、前記スリット２１をＴ字型としたことにより、その部分の側面は細くなっており、この部分を支点にして左右に開くことになる。そのため、スリット２１の長さと幅を調整すれば、両者が外れる際の力を調整できる。
【００３７】
このように、このストラップ止め１０は、危険が及んだ際には、外れて危険を防止できる。その際、スリット２１の長さを調整することにより、外れる強さを調整できる。
【００３８】
【発明の効果】
この発明は、以上のように構成したことにより、ストラップ止めを、嵌めやすく、かつ、必要な際にのみ外れるようにできる。
【図面の簡単な説明】
【図１】実施形態の斜視図
【図２】ソケット体の正面図
【図３】ソケット体の背面図
【図４】実施形態の作用説明図
【図５】実施形態の作用説明図
【図６】実施形態の作用説明図
【図７】実施形態の作用説明図
【図８】実施形態の作用説明図
【図９】実施形態の作用説明図
【図１０】従来例の斜視図
【図１１】従来例の作用説明図
【符号の説明】
１０  ストラップ止め
１１  プラグ体
１２  ソケット体
１４  先端面
１５  係合突起
１６  水平部
１７  垂直部
１８  先端面
１９  貫通孔
２０  切欠
２１  スリット
２２  中空
【図１】
0004018423.tif 000002
【図２】
0004018423.tif 000003
【図３】
0004018423.tif 000004
【図４】
0004018423.tif 000005
【図５】
0004018423.tif 000006
【図６】
0004018423.tif 000007
【図７】
0004018423.tif 000008
【図８】
0004018423.tif 000009
【図９】
0004018423.tif 000010
【図１０】
0004018423.tif 000011
【図１１】
0004018423.tif 000012